(57)【要約】      （修正有）【課題】温水器に利用すると、使用する時、予めに設定された恒温の水源を出力でき、火傷を防止できるだけでなく、加熱エネルギーや水源を節約できる恒温装置を提供する。【解決手段】制御ユニット１と、制御ユニットと電気に接続される操作インターフェース２と、制御ユニットと電気に接続される駆動ユニット３と、駆動ユニットに接続され、冷、熱水管４１，４２が連通される混合ユニット４と、制御ユニットと電気に接続される検知ユニット５と、出口管６１を有する出口弁６と、が含有され、上記出口管は、検知ユニットに接続されるスイッチ部６２を有する。【選択図】図１
0003149524.tif 000002
【実用新案登録請求の範囲】
【請求項１】
制御ユニットと、
上記制御ユニットと電気に接続される操作インターフェースと、
上記制御ユニットと電気に接続される駆動ユニットと、
上記駆動ユニットに接続され、冷熱水管が連通される混合ユニットと、
上記制御ユニットと電気に接続される検知ユニットと、
上記検知ユニットに接続されるスイッチ部を有する出口管が、設けられる出口弁と、が含有されることを特徴とする恒温装置。
【請求項２】
上記制御ユニットは、ハウジングに設置されることを特徴とする請求項１に記載の恒温装置。
【請求項３】
上記制御ユニットと操作インターフェース及び駆動ユニットは、ハウジングに設置されて、上記混合ユニットと検知ユニット及び出口弁は、他のハウジングに設置されることを特徴とする請求項１に記載の恒温装置。
【請求項４】
上記操作インターフェースは、容量式の表示と出力ユニットが含まれることを特徴とする請求項１に記載の恒温装置。
【請求項５】
上記駆動ユニットは、モーターであることを特徴とする請求項１に記載の恒温装置。
【請求項６】
上記混合ユニットは、比例電磁弁であることを特徴とする請求項１に記載の恒温装置。
【請求項７】
上記出口弁は、電磁弁であることを特徴とする請求項１に記載の恒温装置。
【請求項８】
上記出口弁は、比例電磁弁であることを特徴とする請求項１に記載の恒温装置。
【請求項９】
上記出口弁は、回収ユニットが連通されることを特徴とする請求項１に記載の恒温装置。
【請求項１０】
上記回収ユニットは、循環してリサイクルができることを特徴とする請求項９に記載の恒温装置。
【請求項１１】
上記回収ユニットは、加温してリサイクルできることを特徴とする請求項９に記載の恒温装置。
【請求項１２】
上記回収ユニットは、降温してリサイクルできることを特徴とする請求項９に記載の恒温装置。
【考案の詳細な説明】
【技術分野】
【０００１】
本考案は、恒温装置に関し、特に、本考案を温水器に利用すると、使用する時、予めに設定された恒温の水源を出力でき、火傷を防止できるだけでなく、加熱エネルギーや水源を節約できる効果が得られるものに関する。
【背景技術】
【０００２】
一般の、従来の温水器は、中空状の蓄熱器があり、上記蓄熱器の外部に、湾曲状水管が巻き囲まれ、上記湾曲状水管の入力、出力端に、それぞれ、蓄熱器において、連通され、また、蓄熱器の底部に、調整弁を有する燃焼ユニットが設置され、上記燃焼ユニットが、加熱エネルギー供給ユニットに接続され、これにより、燃焼ユニットは、加熱エネルギー供給ユニットを利用して持続に火源を提供でき、また、蓄熱器に対して加熱して、冷水が湾曲状水管の入力端から入り、蓄熱器において、熱い水に加熱された後、出力端から出力され、ユーザーに熱い水を供給する。
【０００３】
上記の従来の温水器は、冷水を、蓄熱器で熱い水に加熱した後、ユーザーに提供できるが、上記温水器は、使用する時、その蓄熱器が、加熱エネルギー供給ユニットで、続いて燃料を提供することで、燃焼ユニットが、持続に加熱できるため、出力される時の水温が、制御できず、水温が、出力される時、寒くなったり熱くなったりすることがあり、また、ユーザーにより温水器が駆動された直後、冷水が蓄熱器によって熱い水に加熱されることを待たなければならなく、ユーザーが、上記らの加熱済まなかった水を利用せず、上記の水を流し捨て、水資源を無駄にする問題がある。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の主な目的は、温水器に利用されると、使用する時、予めに設定された恒温の水源を出力でき、火傷を防止できるだけでなく、加熱エネルギーや水源を節約できる効果が得られる恒温装置を提供する。
【課題を解決するための手段】
【０００６】
本考案は、上記の目的を達成するための恒温装置であり、制御ユニットと、制御ユニットと電気に接続される操作インターフェースと、制御ユニットと電気に接続される駆動ユニットと、駆動ユニットと接続され、冷、熱水管が連通される混合ユニットと、制御ユニットと電気に接続される検知ユニットと、検知ユニットに接続されるスイッチ部を有する出口管が設けられる出口弁と、が含有される。
【０００７】
以下、図面を参照しながら、本考案の特徴や技術内容について、詳しく説明するが、それらの図面等は、参考や説明のためであり、本考案は、それによって制限されることが無い。
【考案を実施するための最良の形態】
【０００８】
図１と図２は、それぞれ、本考案の基本構成概念図と本考案のブロック概念図である。図のように、本考案は、恒温装置であり、少なくとも、制御ユニット１と、操作インターフェース２と、駆動ユニット３と、混合ユニット４と、検知ユニット５と、出口弁６とから構成され、本考案を温水器に適用すると、使用する時、予めに設定された恒温の水源を出力でき、火傷を防止できるだけでなく、加熱エネルギーや水源を節約できる効果が得られる。
【０００９】
上記の制御ユニット１は、複数の電子素子１２が設けられた回路基板１１で、上記制御ユニット１に、電源部１３がある。
【００１０】
上記操作インターフェース２は、上記制御ユニット１と電気に接続され、上記操作インターフェース２は、容量式の表示と出力ユニットが含まれ、色を変化することにより、使用状態が表示される。
【００１１】
上記駆動ユニット３は、上記制御ユニット１と電気に接続され、上記駆動ユニット３は、モーターである。
【００１２】
上記混合ユニット４は、上記駆動ユニット３と接続され、冷、熱水管４１、４２が連通される比例電磁弁である。
【００１３】
上記検知ユニット５は、上記制御ユニット１と電気に接続される。
【００１４】
上記出口弁６は、出口管６１が設けられ、上記出口管６１は、上記検知ユニット５に接続されるスイッチ部６２があり、上記出口弁６は、電磁弁や比例電磁弁である。上記の構造により、新規の恒温装置が構成される。
【００１５】
図３と図４は、それぞれ、本考案の組立て状態概念図と本考案の使用状態のブロック概念図である。図のように、本考案によれば、上記制御ユニット１が、ハウジングに設置され、或いは、上記制御ユニット１や操作インターフェース２及び駆動ユニット３を一つのハウジングに設置して、上記混合ユニット４や検知ユニット５及び出口弁６を他のハウジングに設置し（図に未表示）、または、モジュール式や電水分離の方式によって実現されても良い。
【００１６】
本考案によれば、制御ユニット１を、ユーザーが便利に操作できるように、シャワー設備や他の水設備の適当な位置に設置して、制御ユニット１上の電源部１３を外部電源１４に接続し、また、混合ユニット４の冷、熱水管４１、４２を、温水器７に接続し、また、上記出口弁６が、必要とする送出し水頭８（例えば、シャワー噴水頭やシャワヘッド、蛇口等の出水装置）に連通され、また、上記出口弁６に、回収ユニット９が連通される。
【００１７】
使用する時、ユーザーが、インターフェース２を操作して、制御ユニット１で、必要とする水温に調整制御し、その後、送出し水頭８を開放して、上記温水器７が駆動され、冷、熱水管４１、４２から、それぞれ、冷水、熱い水が混合ユニット４に出力され、この時、上記制御ユニット１により、上記駆動ユニット３が駆動されて、混合ユニット４中の冷、熱い水を混合して、検知ユニット５で、混合ユニット４中の水温が予めに設定された温度になると、出口弁６のスイッチ部６２を駆動して、予めに設定された温度になる水を、出口管６１を通して送出し水頭８から出力され、ユーザーに供給し、また、混合ユニット４中の冷、熱い水の混合水温が、予めに設定された標準になっていない時、上記の水が、出口弁６を通して回収ユニット９に出力され、上記回収ユニット９により、予めに設定した標準になっていない水を、リサイクルや加温リサイクル及び（或いは）降温リサイクルを行い、上記のように、本考案は、使用する時、制御ユニット１や操作インターフェース２、駆動ユニット３、混合ユニット４、検知ユニット５及び出口弁を利用して、予めに設定された恒温の水源を出力でき、火傷を防止できるだけでなく、加熱エネルギーや水源を節約できる効果が得られる。
【００１８】
以上のように、本考案に係る恒温装置は、有効に従来の諸欠点を解消でき、本考案を温水器に利用すると、使用する時、予めに設定された恒温の水源を出力でき、火傷を防止できるだけでなく、加熱エネルギーや水源を節約できる効果が得られ、そのため、本考案は、より進歩的かつより実用的で、法に従って実用新案登録請求を出願する。
【００１９】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２０】
【図１】本考案の基本構成概念図
【図２】本考案のブロック概念図
【図３】本考案の組立て状態概念図
【図４】本考案の使用状態のブロック概念図
【符号の説明】
【００２１】
１  制御ユニット
１１  回路基板
１２  電子素子
１３  電源部
１４  外部電源
２    操作インターフェース
３    駆動ユニット
４    混合ユニット
４１  冷水管
４２  熱水管
５    検知ユニット
６    出口弁
６１  出口管
６２  スイッチ部
７    温水器
８    送出し水頭
９    回収ユニット
【図１】
0003149524.tif 000003
【図２】
0003149524.tif 000004
【図３】
0003149524.tif 000005
【図４】
0003149524.tif 000006